(57)【要約】【課題】収納箱内で仕切板を確実に固定して、各種物品を安全に収納できる収納箱を提供する。【解決手段】箱本体１、仕切板２、蓋体３からなる収納箱において、箱本体１の底部には長手方向に凹溝４を設け、箱本体１の開口部両側縁に係合溝６を設け、係合溝６は一定の間隔をおいて設けるリブ７で区画し、仕切板２は両側上端縁に係合溝６に嵌入可能な嵌入片９ｂを有する係止部９を設け、仕切板２の底側には凹溝４に嵌入可能な幅の足板１０を設ける。また、凹溝４の両側縁部近傍の係合溝６のリブ７と対応する位置に、リブ７と同一のピッチで突起５を列設し、仕切板２の嵌入片９ｂの中央にリブ７が嵌入可能な切り溝９ｃを設け、足板１０において、仕切部８の直下部分に一対の第１嵌合孔１０ａを設け、第１嵌合孔１０ａを挟んで凹溝４に沿った方向に突起５と同じピッチで二対の第２嵌合孔１０ｂを設ける。蓋体３の裏面の係合溝６と対応する位置に縦リブ１２を設ける。【選択図】　図１
2004075090.tif 000002
【特許請求の範囲】
【請求項１】
箱本体１と、仕切板２と、蓋体３とからなる収納箱において、箱本体１の底部には、長手方向に凹溝４を設け、箱本体１の開口部上縁の長手方向両側縁に係合溝６を設け、この係合溝６は一定の間隔をおいて設けるリブ７で区画すると共に、仕切板２は、その両側上端縁に上記係合溝６に嵌入可能な嵌入片９ｂを有する係止部９を設け、仕切板２の底側には上記凹溝４に嵌入可能な幅の足板１０を設けたことを特徴とする収納箱。
【請求項２】
凹溝４の両側縁部近傍の上記係合溝６のリブ７と対応する位置に、リブ７と同一のピッチで突起５を列設すると共に、仕切板２の嵌入片９ｂの中央にリブ７が嵌入可能な切り溝９ｃを設け、仕切板２の足板１０において、仕切部８の直下部分に一対の第１嵌合孔１０ａを設け、この第１嵌合孔１０ａを挟んで凹溝４に沿った方向に上記突起５と同じピッチで二対の第２嵌合孔１０ｂを設けた請求項１に記載の収納箱。
【請求項３】
蓋体３の裏面において、箱本体１の係合溝６と対応する位置に縦リブ１２を設けた請求項１または請求項２に記載の収納箱。
【発明の詳細な説明】
【０００１】
【発明の属する技術分野】
この発明は、文庫本、コミック本、雑誌等の書籍類や、ビデオ、ＣＤ、写真、チラシ、パンフレット類、衣類、タオル、ハンカチ等、種々の雑貨を整理収納するための蓋を有する収納箱に関し、特に箱内部を区画する仕切板に特徴を有する収納箱に関するものである。
【０００２】
【従来の技術】
この種の収納箱に、文庫本やコミック本を収納する場合、本の背表紙を上に、小口を下にして並べて収納するのが一般的である。このような収納形態では本に腰がないので、本が斜めに崩れてしまうことになる。そこで、収納箱内にブックエンドのような仕切板を設けて本を固定することが行われている。
【０００３】
また、他の物品を収納する場合においても、写真やパンフレット類を収納する場合にはこれらも腰がないので自立せず、同様に仕切板等が必要となり、衣類等を収納する場合には、箱内を区画して種類別に収納等するために、仕切板が用いられる。
【０００４】
そして、最も簡単な仕切板としては、ブックエンド状のものとして、断面Ｌ字型や逆Ｔ字型の仕切板が用いられていたが、この種の仕切板は腰の弱いものを収納するのは不便であり、また書籍等の重みによって箱内を移動してしまい、仕切板としての機能を十分に発揮できないものもあった。
【０００５】
【発明が解決しようとする課題】
このような実情のもと、例えば特開２０００−４３８８０号公報に開示されているような書籍類の整理保管ケースが提案されている。このケースにおける仕切板は、ケースの内底面に凹陥部を形成し、この凹陥部の両側にジグザグ状の凹凸条を設ける一方、仕切部材のベース板部の両側縁に対応する凹凸部を設け、両者を噛み合わせて仕切部材の移動を防止するようにしたものである。かかる構成では、仕切板は移動しないが、仕切板上端は自由なので仕切板がふらつき、また、ケース運搬時に上下振動により仕切板の噛合が外れ仕切板の位置ずれを起こすおそれがあった。
【０００６】
また、仕切板の上端を固定するものとしては、例えば、特開平７−２７７３３９号公報や実用新案登録第３０６４３４８号公報などがある。前者は、箱本体の上縁開口に上縁部を形成する一方、仕切板の上端両側に、前記上縁部に着脱可能に外嵌する取付用腕部を設けたもので、蓋体の周縁下面に当接リブを設けて仕切板の移動を規制しようとしたものである。しかし、かかる構成のものは、蓋の下面の当接リブと仕切板の位置関係がわかりにくく、使用者が望む位置に仕切板を固定できるとは限らない。また、蓋をするまでに仕切板が容易に移動してしまうことがあり、さらに仕切板の上端だけで固定するので仕切板下端が揺動してしまい、収納物が仕切板の下に滑り込んでしまうこという問題もあった。
【０００７】
また、後者は、箱本体の上縁一方に案内レールを設け、これに仕切板を跨乗させ、仕切板の歯形部と、蓋体裏面の歯形部を噛合させて仕切板の移動を規制したものである。かかる構成では、仕切板の位置調整は細かくなったものの、前者同様蓋をするまでに収納物がもたれかかって仕切板が移動してしまうなどの問題点があった。
【０００８】
かかる実情により、例えば実用新案登録第３０６８６２３号公報の仕切板を備えた収納箱が開示されている。これは、仕切板の一側辺部上端に上側係合用肩部を設ける一方、収納箱の身部（本体）側壁内面に側壁溝部を設け、仕切板の上側係合用肩部を身部の側壁溝部に係着するようにし、仕切板の下辺部に下側係合用脚部を突設する一方、収納箱の身部内底面に底面側溝部を設け、仕切板の下側係合用脚部を身部の底面側溝部に係着するようにしたものである。かかる仕切板は、仕切板上端の片方でのみ支持するものであるが、仕切板の上辺と下辺の両方で支持するため、仕切板が収納物によって移動したりすることがない。しかし、収納箱全体を持ち運び等する場合、傾きや衝撃によって仕切板が外れるおそれがあった。
【０００９】
本発明はこれらの実情に鑑みてなされたものであり、収納箱内で仕切板を確実に固定して、各種物品を安全に収納できる収納箱を提供することを目的としたものである。
【００１０】
【課題を解決するための手段】
上述した諸課題を解決するため、本発明は、箱本体１と、仕切板２と、蓋体３とからなる収納箱において、箱本体１の底部には、長手方向に凹溝４を設け、箱本体１の開口部上縁の長手方向両側縁に係合溝６を設け、この係合溝６は一定の間隔をおいて設けるリブ７で区画すると共に、仕切板２は、その両側上端縁に上記係合溝６に嵌入可能な嵌入片９ｂを有する係止部９を設け、仕切板２の底側には上記凹溝４に嵌入可能な幅の足板１０を設けるという手段を採用した。
【００１１】
かかる構成の収納箱は、嵌入片９ｂを係合溝６に嵌入させて係止し、仕切板２の上部両側を固定すると共に、足板１０を箱本体１の底板の凹溝４に嵌入させて仕切板２下部を固定し、仕切板２を３点で支持することによって、確実に仕切板を固定できるものである。この場合、足板１０の存在によって仕切板が揺動することを防止できる。
【００１２】
また、上記収納箱において、凹溝４の両側縁部近傍の上記係合溝６のリブ７と対応する位置に、リブ７と同一のピッチで突起５を列設すると共に、仕切板２の嵌入片９ｂの中央にリブ７が嵌入可能な切り溝９ｃを設け、仕切板２の足板１０において、仕切部８の直下部分に一対の第１嵌合孔１０ａを設け、この第１嵌合孔１０ａを挟んで凹溝４に沿った方向に上記突起５と同じピッチで二対の第２嵌合孔１０ｂを設けるという手段を採用した。
【００１３】
嵌入片９ｂの中央に切り溝９ｃを設けることによって、係止部９の嵌合溝６への嵌入を、リブ７の間の位置とリブ７を跨ぐ位置を選択できるようになった。また、リブ７のピッチと対応して凹溝４に設ける突起５を足板１０の第１、第２嵌合孔に嵌入させることで、足板１０をより確実に固定できるようになった。
【００１４】
さらに、蓋体３の裏面において、箱本体１の係合溝６と対応する位置に縦リブ１２を設けるという手段を採用した。
【００１５】
蓋体３を閉じた場合、縦リブ１２が係合溝６の嵌入した係止部９の上面に当接押下して、仕切板を固定できるものである。
【００１６】
【発明の実施の形態】
以下、本発明にかかる収納箱の好ましい実施形態を、図面に従って説明する。図１は収納箱を一部切欠して示す分解斜視図であり、図２はそのうちの仕切板の拡大斜視図である。図１において、１は箱本体、２は箱本体内を区画する仕切板、３は箱本体を上から閉止する蓋体である。収納箱の大きさは特に限定するものではないが、収納する物品の大きさに応じて、例えばコミック本サイズ、文庫本サイズ、ビデオサイズ等一定の規格を有するものに準じた大きさとしてもよいし、衣類等の雑貨を収納する場合は、相応の大きさを選択することができる。
【００１７】
箱本体１において、４は箱本体１の底部の長さ方向中央に設けた比較的幅広の凹溝であって、該凹溝４の両側縁部近傍には、一定の間隔をおいて突起５、５・・・を列設している。また、箱本体１の開口部上縁の長さ方向両側縁には、下述する仕切板を係着可能な係合溝６を設け、係合溝６内は一定の間隔をおいて設けたリブ７、７・・・で区画している。このリブ７と上記凹溝４内の突起５は図３に示すように箱本体１を横断する方向で同一線上に並び、そのピッチｐも同一である。これは下述する仕切板を確実に固定するためのものである。なお、突起５は必要に応じて設けるもので、省略する場合がある。
【００１８】
仕切板２を図２について説明すると、図において、８は箱本体１の内寸に見合う横幅と高さを有する平板状の仕切部、９は該仕切部８の両側上端縁に設けた係止部である。仕切部８の形状は図示したものに限定されるものではなく、任意であって、図示した３箇所の丸穴や上辺の凹部は主に意匠上のものであり、さらに、材料の節約と軽量化を図ったものである。係止部９は箱本体１の側壁面に接するように上記仕切部８と直角に設けた摺動片９ａと、上記係合溝６の隣接するリブ７間に嵌入可能な幅を有し鉤状に折曲した嵌入片９ｂとからなる。この嵌入片９ｂの中央には上記係合溝６のリブ７が嵌入可能な切り溝９ｃを設けている。また仕切部８の底側中央には、箱本体１の底板の凹溝４に嵌入可能な幅を有する足板１０を水平に設けている。この足板１０には上記仕切部の直下部分に一対の第１嵌合孔１０ａを設けると共に、この第１嵌合孔１０ａを挟んで凹溝４に沿った方向に上記凹溝４の突起５と同じピッチで二対の第２嵌合孔１０ｂ、１０ｂを設けている。この足板１０は仕切板２が揺動することを防止する作用を有する。なお、この足板１０は凹溝内に嵌入するので、箱本体の底部は足板の厚さによって凹凸が生じることはなく、一定の平面に保たれている。
【００１９】
次に、蓋体３において、１１、１１は両端に設けたバックルであって箱本体１の上縁部に係着して蓋体３を固定するものである。このバックルは公知のものを採用する。また１２は蓋体３の裏面において上記箱本体１の係合溝６の位置と対応する位置に設けた縦リブである。この縦リブ１２は、仕切板２を箱本体１にセットして蓋体３を閉じた場合に、仕切板２の嵌入片９ｂの上面に当接して仕切板２を固定する作用を有する。
【００２０】
本発明にかかる収納箱は上記構成からなるものであるが、この収納箱の使用態様について述べると、使用者は、まず仕切板２を箱本体内の所望の位置に設置する。図では１箇所に設置しているが、複数箇所に設置してもよい。この場合、図３に示すように２種類の設置個所を任意に選択することができる。即ち、（イ）は係止部９の嵌入片９ａを箱本体の係合溝６の隣り合うリブ７、７間に嵌入させて設置する場合である。このとき凹溝４の突起５は足板１０の４箇所の第２嵌合孔１０ｂにそれぞれ嵌入して仕切板２は固定される。一方、（ロ）は係止部９の嵌入片９ａに設けた切り溝９ｃを利用し、該切り溝９ｃにリブ７を嵌入させて設置する場合である。このとき突起５は足板１０の２箇所の第１嵌合孔１０ａに嵌入して仕切板は固定される。いずれの場合でも、仕切板２は左右の係止部９と足板１０の３箇所で固定されることになる。従って、収納物が仕切板２にもたれ掛かって負荷を与えても、仕切板２が不用意に移動することがなく、また、下端が揺動することもない。さらに、蓋体３をバックル１１で固定するのであるが、このとき蓋体３裏面に設けた縦リブ１２が仕切板２の嵌入片９ｂの上面に当接して下方に押圧するので、仕切板２をより確実に固定できる。
【００２１】
なお、上述の態様において、突起５と第１嵌合孔１０ａ、第２嵌合孔１０ｂの係合は必ずしも必要ではない、即ち、突起５を設けない場合であっても、足板１０が凹溝４に嵌入しているだけで、足板１０の前後幅によって、仕切板の揺動を防止することが可能であり、その状態で蓋体３を閉じれば、縦リブ１２によって仕切板２は確実に固定されるからである。
【００２２】
【発明の効果】
以上述べたように、本発明にかかる収納箱は、仕切板２を設置する場合、係止部９を係合溝６に嵌入させると共に凹溝４の突起５で足板１０を係止するようにしたので、箱本体内の設置位置を視覚的に確認しながら仕切板を確実に設置でき、不用意に移動することがない。
【００２３】
また、蓋体３を閉じることによって、蓋体裏面の縦リブ１２が係止部９を押圧するので、仕切板２はより確実に固定され、収納箱の持ち運び時に仕切板２がずれることがなく、収納物を確実に保持できる。
【００２４】
さらに、仕切板２は箱本体の内寸に見合う大きさであるので、腰のない収納物、例えばパンフレット、チラシ、雑誌類などを収納する場合にも、これらが仕切板を乗り越えて倒れ込んだり、仕切板の下側へ潜り込んだりすることがない。
【００２５】
また、仕切板の係合溝６への係止部９の嵌入は、係合溝６のリブ間７に嵌入する場合と、切り溝９ｃにリブを嵌入させる場合を選択できるので、仕切板の設置位置を細かく設定でき、種々の収納物の収納に対応できる。
【図面の簡単な説明】
【図１】本発明にかかる収納箱の一部切欠分解斜視図である。
【図２】仕切板の斜視図である。
【図３】箱本体に仕切板を設置する態様を説明する平面図である。
【符号の説明】
１　　箱本体
２　　仕切板
３　　蓋体
４　　凹溝
５　　突起
６　　係合溝
７　　リブ
８　　仕切部
９　　係止部
９ａ　摺動片
９ｂ　嵌入片
９ｃ　切り溝
１０　　足板
１０ａ　第１嵌合孔
１０ｂ　第２嵌合孔
１２　　縦リブ
【図１】
2004075090.tif 000003
【図２】
2004075090.tif 000004
【図３】
2004075090.tif 000005